(57)【要約】【課題】漏水検知センサケーブルを用いることでユニット内部やダクト内等の目で見ることのできない箇所での水漏れを早期に発見し、二次災害の危険性をなくす。【解決手段】給排水ボックス６と、アシスタントユニット９とを有し、これらが内部に水供給ケーブルを有する可撓性のケーブル１２と連結されている。可撓性のケーブル１２内に、漏水検知センサケーブルを並設して有し、前記水供給ケーブルに水漏れが生じた時に、前記漏水検知センサケーブルにて該水漏れを検知し、前記水給水ケーブルへの給水弁を閉じ、或いは、警告を発生する。【選択図】図３
2010099130.tif 000002
【特許請求の範囲】
【請求項１】
給排水ボックスと、アシスタントユニットとを有し、該給排水ボックスとアシスタントユニットとが水供給管を介して連結されている歯科治療ユニットにおいて、前記水供給管に漏水検知センサケーブルを並設して有し、前記水供給管に水漏れが生じた時に、前記漏水検知センサケーブルにて該水漏れを検知し、前記水供給管への給水弁を閉じて水が出ないようにし、或いは、警告を発生するようにしたことを特徴とする歯科治療ユニット。
【請求項２】
前記給排水ボックスとアシスタントユニットとは、可撓性のケーブルを介して連結されており、該可撓性のケーブル内に前記水供給管及び漏水検知センサケーブルが配設されていることを特徴とする請求項１に記載の歯科治療ユニット。
【請求項３】
うがい鉢を着脱自在に装着可能なうがい鉢受け部を有する歯科用スピットン装置であって、前記うがい鉢受け部の周辺に漏水検知センサケーブルを配設して有し、該漏水検知センサケーブルが前記うがい鉢受け部に水が溢れていることを検知した時に、うがい鉢洗浄水供給管への給水弁を閉じて水が出ないようにし、或いは、警告を発生するようにしたことを特徴とする歯科用スピットン装置。
【発明の詳細な説明】
【技術分野】
【０００１】
本発明は、歯科治療ユニットや歯科スピットン装置において、漏水検知センサケーブルを水漏れの恐れのある箇所に配設することで、ユニット内部やダクト内等の目で見ることのできない箇所での水漏れを早期に発見できるようにして、水漏れによる二次災害の発生を防止するようにしたものである。
【背景技術】
【０００２】
図３は、従来の歯科治療ユニットの一例を示す全体構成図、図４は、該ユニットを用いて歯科治療を行っている様子を上方から見た配置図（ただし、うがい鉢を取り外した時の状態を示す図）で、該歯科治療ユニットは、歯科治療用椅子１，ワークテーブル２，ドクタ（術者）用インスツルメントホルダ３，ドクタ用インスツルメント（ハンドピース）４，フットスイッチ５，給排水ボックス６，うがい水供給管７１，スピットン洗浄水供給管７２，うがい用コップ置き場７３，うがい鉢受け部７４等を有するピットン装置７，うがい鉢８，アシスタントユニット９，アシスタント用インスツルメント１０，アシスタント用インスツルメントホルダ１１等から成り、給排水ボックス６とアシスタントユニット９は、アシスタントユニット９に設けられているインスツルメント１０に水、エアー、電気等を供給するチューブや電線、更には、患者の口腔内の汚液を吸引するバキュームホース等が可撓性のケーブル（例えば、蛇腹）１２内を通して、或いは、床下を通して連結されている。
【０００３】
ドクタ用インスツルメントホルダ３には、歯科治療において術者（ドクタ）が使用する種々のインスツルメント、例えば、エアータービン、マイクロエンジン、超音波スケーラ、マルチシリンジ等のインスツルメント４が収納されており、周知のように、歯科治療に当り、患者は治療椅子１に座り、頭を安頭台に固定して治療を受ける。治療中、術者は治療椅子１を上下動，倒起動，傾斜動等させて、患者を治療しやすい姿勢にして治療を行う。また、アシスタント用インスツルメントホルダ１１には、歯科治療の途中等において、アシスタントが患者の口腔内を清掃又は術者のアシスト作業をするのに使用するインスツルメント、例えば、バキューム管，排唾管，マルチシリンジ等のインスツルメント１０が装備されている。
【０００４】
図示例の場合、給排水ボックス６とアシスタントユニット９とは、可撓性のケーブル（蛇腹）１２によって連結されており、アシスタントは、アシスタントユニット９を作業しやすい所望の位置に移動して、所望の作業をするようにしているが、可撓性のケーブル１２には、アシスタントインスツルメント１０に水を供給するための可撓性の水供給管が挿通されており、この水供給管が破損したような場合、水漏れが発生する。この水漏れは、術者やアシスタントが目で見ることのできないケーブル１２内で生じるため、水が床に漏れてきてから水漏れに気付くため、水漏れの発見が遅れて階下に影響がでる。また、アシスタントユニット９が固定式の場合は、アシスタントユニット９への水供給は、床下に固定配置された給水管を通して行われるが、この場合も、術者やアシスタントが水漏れに気付かず、床下が水浸しになっていることがあった。
【０００５】
また、スピットン装置７に対してうがい鉢８が取り外し可能となっている場合、何らかの原因で排水が流れなくなった時に、うがい鉢８の受け部から水が溢れ出してくるが、この場合も、水が溢れ出してきているのに気付かず、うがい鉢受け部から水が溢れ出して、床を濡らしてしまう等の問題があった。
【発明の開示】
【発明が解決しようとする課題】
【０００６】
本発明は、上述のごとき実情に鑑みてなされたもので、漏水検知センサケーブルを用いることでユニット内部やダクト内等の目で見ることのできない箇所での水漏れを早期に発見し、二次災害の危険性をなくし、また、うがい鉢付近からの水漏れを事前に防止することを目的としてなされたものである。
【課題を解決するための手段】
【０００７】
請求項１の発明は、給排水ボックスと、アシスタントユニットとを有し、該給排水ボックスとアシスタントユニットとが水供給管を介して連結されている歯科治療ユニットにおいて、前記水供給管に漏水検知センサケーブルを並設して有し、前記水供給管に水漏れが生じた時に、前記漏水検知センサケーブルにて該水漏れを検知し、前記水供給管への給水弁を閉じて水が出ないようにし、或いは、警告を発生するようにしたことを特徴としたものである。
【０００８】
請求項２の発明は、請求項１の発明において、前記給排水ボックスとアシスタントユニットとは、可撓性のケーブルを介して連結されており、該可撓性のケーブル内に前記水供給管及び漏水検知センサケーブルが配設されていることを特徴としたものである。
【０００９】
請求項３の発明は、うがい鉢を着脱自在に装着可能なうがい鉢受け部を有する歯科用スピットン装置であって、前記うがい鉢受け部の周辺に漏水検知センサケーブルを配設して有し、該漏水検知センサケーブルが前記うがい鉢受け部に水が溢れていることを検知した時に、うがい鉢洗浄水供給管への給水弁を閉じて水が出ないようにし、或いは、警告を発生するようにしたことを特徴としたものである。
【発明の効果】
【００１０】
本発明によると、ユニット内部やダクト内等の目で見ることのできない箇所での水漏れを早期に発見でき、或いは、水漏れを事前に防止することができるため、二次災害の危険性を格段に低くすることができる。
【発明を実施するための最良の形態】
【００１１】
本発明は、歯科治療ユニットにおいて、漏水検知センサケーブルを、水供給路と並列に配設しておき、或いは、警告を発し、或いは、水漏れの恐れのある箇所に漏水検知センサケーブルを配設しておき、漏水が発生した時に、水の供給を止め、或いは、警告を発するようにしたものである。
【００１２】
図１は、本発明の実施に使用する漏水検知センサケーブルの一例を説明するための製品外観図で、（Ａ）図は、長さ方向の外観構成図、（Ｂ）図は、断面構成図で、図中、２０は漏水検知センサケーブルを示し、該漏水検知ケーブル２０は、モニタワイヤ２１、シグナルワイヤ２２、センサワイヤ２３，２４、これらワイヤ２１〜２４が螺旋状に埋め込まれているキャリアロッド２５等から成り、常時、モニタワイヤ２１とセンサワイヤ２３の間、及び、シグナルワイヤ２２とセンサワイヤ２４の間に信号を流しており、漏水が発生すると、モニタワイヤ２１〜センサワイヤ２３間の信号が、シグナルワイヤ２２〜センサワイヤ２４間にリークするので、このリーク量を検出することで、水の存在（漏水）を知ることができるようになっている。
【００１３】
本発明は、上述のごとき漏水検知センサケーブル２０を用いて、歯科治療ユニットまわりの漏水を検知して、いち早く、漏水を警告し、水の供給を停止するようにしたもので、第１の実施例は、歯科治療ユニットにおいて漏水の最も発生しやすい、可動性のアシスタントユニット９への水供給回路に本発明を適用しようとするものである。
【００１４】
図３は、上述のように、従来の歯科治療ユニットの一例を説明するための図であるが、同図においては、アシスタントユニット９は、可撓性のケーブル（蛇腹）１２を介して給排水ボックス６と連結され、作業しやすい所望の箇所に移動可能になっているが、この可撓性ケーブル１２内には、アシスタントインスツルメント１１に水を供給するための水供給管が配設されており、長年の使用等により、この水供給管が劣化して水漏れを生じる場合がある。しかし、この可撓性ケーブル１２内は、通常、目で見ることができず、漏水に気付くのが遅れ、床面が水浸しになる等の恐れがあった。また、アシスタントユニット９が固定式の場合には、床下等に配管ダクトを設け、このダクト内に水供給管を配管するようにしているが、この場合にも、術者やアシスタントが漏水に気付かず、階下の部屋が水浸しになってしまう恐れがあった。
【００１５】
本発明は、第一の実施例は、上述のごとき水漏れによる災害を防止するためになされたもので、前述の可撓性ケーブル１２内或いはダクト（図示せず）内に、前述の漏水検知センサケーブル２０を配設しており、水漏れを素早く発見し、水供給回路の弁（バルブ）を閉じ、或いは、例えば、ワークテーブル２上のモニタに漏水を表示するようにしたものである。
【００１６】
図２は、本発明の第２の実施例を説明するための要部構成図で、同図は、図３に示したスピットン装置７上のうがい鉢８を取り外した時の状態を示す図で、図示のように、スピットン装置７上のうがい鉢受け部７４のまわり７ａには、前述の漏水検知センサケーブル２０が露出して（溝内に）配設されており、うがい水排水管７ｂに詰まり等が生じ、うがい鉢受け部７４に排水が溢れてきたような場合に、この排水の溢れを漏水検知センサケーブル２０によって検知し、うがい水供給管７１への給水を停止し、或いは、ワークテーブル２上の表示パネルに、その旨（漏水）を表示するようにしたものである。
【図面の簡単な説明】
【００１７】
【図１】本発明の実施に使用する漏水検知センサケーブルの一例を説明するための図である。
【図２】漏水検知センサケーブルをスピットン装置に適用した本発明の一実施例を説明するための要部構成図である。
【図３】従来の歯科治療ユニットの一例を説明するための要部全体概観図である。
【図４】図３に示した歯科治療ユニットの診療時の様子を上方から見た時の平面構成図である。
【符号の説明】
【００１８】
１…歯科治療ユニット、２…ワークテーブル、６…給排水ボックス、７…スピットン装置、７ａ…うがい鉢受け部、７ｂ…うがい水排水管、８…うがい鉢、９…アシスタントインスツルメント、１２…アシスタントインスツルメント用配線・配管ケーブル、２０…漏水検知センサケーブル。
【図１】
2010099130.tif 000003
【図２】
2010099130.tif 000004
【図３】
2010099130.tif 000005
【図４】
2010099130.tif 000006